(57)【要約】　　　（修正有）【解決手段】カンガルーの革を帯状に形成した革帯体１と、帯状体とを緯糸Ｘとする。これらの緯糸Ｘを経糸Ｙに織り込んで革織物を設ける。経糸Ｙを絹糸又は絹の混紡糸とする。緯糸Ｘとして、革帯体１と、絹糸又は絹の混紡糸で帯状に形成した帯状体２とする。これら緯糸Ｘと経糸Ｙとを織り込んだ織地を表地とし、該表地の裏面に接着芯を接着する。革帯体１は、厚みを０．３〜０．７ｍｍ、幅を３〜５ｍｍに形成する。帯状体２は、絹糸又は絹の混紡糸を幅３〜５ｍｍに形成する。【効果】皮革素材を他の素材とバランス良く組み合わせることが可能になる。天然皮革の風合いや肌触り等の特性を残しながら、極めて軽量な革織物様衣服素材を提供できる。【選択図】　　　　図１
0003098125.tif 000002
【実用新案登録請求の範囲】
【請求項１】
カンガルーの革を薄帯状に形成した革帯体と、織物糸で帯状に設けた帯状体とを緯糸とし、これらの緯糸を経糸に織り込み形成した織地からなることを特徴とする革織物様衣服素材。
【請求項２】
カンガルーの革を薄帯状に形成した革帯体と、織物糸で帯状に設けた帯状体とを緯糸とし、これらの緯糸を経糸に織り込んだ織地からなる革織物様衣服素材において、経糸を絹糸又は絹の混紡糸とすると共に、帯状体を絹糸又は絹の混紡糸で設けたことを特徴とする革織物様衣服素材。
【請求項３】
前記革帯体は、厚みを０．３〜０．７ｍｍ、幅を３〜５ｍｍに形成され、前記帯状体は、幅を３〜５ｍｍに形成された帯状体である請求項１又は２記載の革織物様衣服素材。
【請求項４】
前記織地を表地とし、該表地の裏面に接着芯を接着した請求項１乃至３いずれか記載の革織物様衣服素材。
【請求項５】
前記緯糸に使用する帯状体に代えて織物糸を使用し、又は帯状体と共に織物糸を使用する請求項１乃至３いずれか記載の革織物様衣服素材。
【考案の詳細な説明】
【０００１】
【考案の属する技術分野】
本考案は、カンガルーの皮革材を薄帯状にして織物に織り込んだ革織物様衣服素材に関する。
【０００２】
【従来の技術】
細切りにした毛皮をネット状の下地体に絡めた毛皮織物地が特許文献１に記載されている。この毛皮織物地は、型崩れしにくい毛皮織物地を提供しようとするもので、ネット状の下地体の経糸または緯糸いずれかに、細切りにした毛皮を、毛の面が表になるよう絡めた毛皮織物地である。
【０００３】
【特許文献１】
登録実用新案第３００８５８５号公報
【０００４】
【考案が解決しようとする課題】
従来の衣服素材において、皮革を使用した素材は皮革自体の重量が重いので、他の衣服素材に比べて極めて重い素材になっている。そこで、特許文献１のように、細切りにした毛皮をネット状の下地体に絡めることで、毛皮の使用量を少なくした分だけの重量を軽減することが可能である。ところが、このような毛皮織物地では、従来の毛皮素材に比べて軽量にできても、毛皮以外の衣服素材に比べると、やはり重い素材にならざるを得ない。すなわち、特許文献１に記載された毛皮織物地によると、細切りにした毛皮を絡めるネット状の下地体自体の重量が毛皮自体の重量に加わるので、毛皮以外の衣服用の素材と比べると、いまだ重い素材になっている。
【０００５】
しかも、皮革材の重量を軽減するために、皮革材の厚みを他の衣服素材の厚みに合わせて薄くすると、皮革材の強度が極端に低下する不都合が生じる。一方、皮革材の強度を保ちながら帯状に形成して他の素材と組み合わせようとすると、皮革材の厚みが厚くならざるを得ず、衣服素材の重量が増加することになる。また皮革材の厚みが他の素材に比べて極めて厚くなるので、他の素材とのバランスが悪くなり、衣服用素材としては利用困難になっている。このように、皮革材を使用した衣服素材において、極めて軽量で、他の素材とのバランスが良くなる衣服用素材はこれまで提供されていなかった。
【０００６】
そこで本考案は上述の課題を解消すべく案出されたもので、皮革素材を他の素材とバランス良く組み合わせることが可能になり、天然皮革の風合いや肌触り等の特性を残しながら、極めて軽量な革織物様衣服素材を提供するものである。
【０００７】
【課題を解決するための手段】
上述の目的を達成すべく本考案の第１の手段は、カンガルーの革を薄帯状に形成した革帯体１と、織物糸で帯状に設けた帯状体２とを緯糸Ｘとし、これらの緯糸Ｘを経糸Ｙに織り込んで形成した織地からなる。
【０００８】
第２の手段は、カンガルーの革を薄帯状に形成した革帯体１と、織物糸で帯状に設けた帯状体２とを緯糸Ｘとし、これらの緯糸Ｘを経糸Ｙに織り込んだ織地からなる革織物様衣服素材において、経糸Ｙを絹糸又は絹の混紡糸とすると共に、帯状体２を絹糸又は絹の混紡糸で設ける。
【０００９】
第３の手段の革帯体１は、厚みを０．３〜０．７ｍｍ、幅を３〜５ｍｍに形成され、帯状体２は、幅を３〜５ｍｍに形成される。
【００１０】
第４の手段は、織地を表地とし、該表地の裏面に接着芯３を接着する。
【００１１】
第５の手段は、緯糸Ｘに使用する帯状体２に代えて織物糸を使用し、又は帯状体２と共に織物糸を使用することを課題解決の手段とする。
【００１２】
【考案の実施の形態】
以下、図面を参照して本考案の実施の形態を説明する。
【００１３】
本考案の基本構成は、カンガルーの革を薄帯状に形成した革帯体１を、織物の緯糸Ｘとして使用するものである（図１参照）。カンガルーの革には、他の皮革材、例えば、牛、羊、豚等の皮革材に比べて繊維質が極めて豊富に含まれており、薄い帯状に形成する皮革材として最も適している。そこで、この革帯体１は、カンガルーの革の厚みを０．３〜０．７ｍｍ、幅を３〜５ｍｍに形成するのが望ましい。この革帯体１は、染め加工したものを使用する。
【００１４】
すなわち、３〜５ｍｍ幅の革帯体１において、厚みが０．３ｍｍ以下になると、革帯体１の強度が保てなくなる。一方、厚みが０．７ｍｍを超えた場合は、革帯体１の重量が嵩み、軽量な衣服素材の提供が困難になる。しかも、他の素材との組み合わせにおいても厚みのバランスが悪くなる。
【００１５】
また、革帯体１の幅を３ｍｍ以上に設定したのは、０．３〜０．７ｍｍ厚のカンガルー皮革において、安定したカットが可能になることによる。一方、革帯体１の幅を５ｍｍ以下に設定しているのは、緯糸Ｘとして使用し易い寸法であること、また、他の素材による帯状体２などとの組み合わせのバランスを良くする為である。たとえば、帯状体２の幅を革帯体１の幅と同じ寸法に設け、これら革帯体１と帯状体２とを１対１の比率で緯糸Ｘとして使用するなど、他の素材との組み合わせが容易になる。また、皮革材の性質がより強い衣服素材を設けるには、帯状物２に対して革帯体１の使用本数を増加させることで調整する。この場合にも幅３〜５ｍｍの革帯体１を使用することで、調整に適したものになる。更に、この革帯体１と帯状体２とを使用した本考案衣服素材は、バッグ及び袋物の素材として使用することも可能である。
【００１６】
本考案素材を構成する緯糸Ｘの他の材質としては、前記帯状体２や織物糸を使用する（図２参照）。帯状体２では、絹糸１００％又は、絹５０％、ポリエステル５０％の混紡糸で帯状に形成したものが、カンガルーの革との相性として好適である。この場合、帯状物２を着色する為に、段染め加工、ムラ染め加工、絹絣染め加工等を施すことで、革帯体１との色彩のバランスが良好になる。また、他の繊維や化学繊維で帯状体２を形成することも可能である。一方、帯状体２の代わりに織物糸を用いる場合でも、絹糸又は絹の混紡糸が好適である。尤も、織物糸に、他の繊維や化学繊維を用いてもよい。
【００１７】
経糸Ｙは、前記緯糸Ｘとの組み合わせ及び強度から、１００ｇ当たり１３３０ｍ程度の絹糸が最適である。但し、この経糸Ｙにおいても絹の混紡糸を用いたり、他の繊維や化学繊維への転用は可能である。
【００１８】
図３に示す符号３は、表地の裏面に接着した接着芯を示している。この接着芯３は、表地に接着することで型を整えるもので、主に、ポリエステル１００％が使用される。接着芯３として熱接着芯を使用する場合は、この接着芯３を表地に熱接着する。また、他の接着芯３を使用する場合は表地と一体に縫着するものである。
【００１９】
【考案の効果】
本考案は上述の如く構成したことにより、当初の目的を達成した。
【００２０】
すなわち、カンガルーの革を薄帯状に形成した革帯体１と、織物糸で帯状に設けた帯状体２とを緯糸Ｘとし、これらの緯糸Ｘを経糸Ｙに織り込んで形成した織地で形成したので、皮革素材を他の素材とバランス良く組み合わせることが可能になり、極めて軽量な革織物様衣服素材を提供できる。
【００２１】
また、カンガルーの革を薄帯状に形成した革帯体１と、織物糸で帯状に設けた帯状体２とを緯糸Ｘとし、これらの緯糸Ｘを経糸Ｙに織り込んだ織地からなる革織物様衣服素材において、経糸Ｙを絹糸又は絹の混紡糸とすると共に、帯状体２を絹糸又は絹の混紡糸で設けたことにより、革帯体１を織り込んだ織地の強度を高めることができる。
【００２２】
そして、革帯体１は、厚みを０．３〜０．７ｍｍ、幅を３〜５ｍｍに形成され、帯状体２は、幅を３〜５ｍｍに形成することで、最も軽量で且つ、他の素材とのバランスが最適となり、天然皮革の風合いや肌触り等の特性を残しながら、極めて軽量な革織物様衣服素材を提供できる。
【００２３】
更に、織地を表地とし、該表地の裏面に接着芯３を接着することにより、本発明衣服素材の強度及び汎用性を高めている。
【００２４】
また、緯糸Ｘに使用する帯状体２に代えて織物糸を使用し、又は帯状体２と共に織物糸を使用することで、本考案素材の基本的性質を変えることなくデザイン等に変化を与えることができる。
【００２５】
このように、本考案によると、皮革素材を他の素材とバランス良く組み合わせることが可能になり、天然皮革の風合いや肌触り等の特性を残しながら、極めて軽量な革織物様衣服素材を提供できるなどといった種々の効果を奏するものである。
【図面の簡単な説明】
【図１】本考案の一実施例を示す一部正面図である。
【図２】本考案の一実施例を示す一部横断面図である。
【図３】本考案の他の実施例を示す一部横断面図である。
【符号の説明】
Ｘ　緯糸
Ｙ　経糸
１　革帯体
２　帯状体
３　接着芯
【図１】
0003098125.tif 000003
【図２】
0003098125.tif 000004
【図３】
0003098125.tif 000005